(57)【要約】本発明は、移動通信技術であるＴＤＤシステムに下り共通パイロットを挿入する方法に係り、特に、ＯＦＤＭＡに基づくＴＤＤシステムに適用される下り共通パイロットの挿入方法を提供する。該方法は、伝送しようとするデータを、少なくとも一つの下りスロットが存在する複数のタイムスロットを含む複数の連続した時間帯に区切るステップＡと、前記時間帯内の一つの下りタイムスロットに共通パイロットを挿入するステップＢとを含む。本発明によれば、共通パイロットに対するチャネル品質測定によって、周波数領域に基くスケジューリングを実現できる。
2009512243.tif 000002
【特許請求の範囲】
【請求項１】
直交周波数分割多重接続技術に基づく時分割複信システムに適用される下り共通パイロットの挿入方法であって、
伝送しようとするデータを、少なくとも一つの下りタイムスロットが存在する複数のタイムスロットを含む複数の連続した時間帯に区切るステップＡと、
前記時間帯内の一つの下りタイムスロットに共通パイロットを挿入するステップＢと
を含むことを特徴とする下り共通パイロットの挿入方法。
【請求項２】
前記時間帯には、一つ又は複数のフレーム内のタイムスロットが含まれることを特徴とする請求項１に記載の下り共通パイロットの挿入方法。
【請求項３】
前記ステップＡにおいて、前記時間帯は、少なくとも一つの下りタイムスロットと該下りタイムスロットの後ろの上りタイムスロットとを含むスケジューリング時間帯であり、且つ、前記伝送しようとするデータの各フレームにおける各下りタイムスロットは、一つのスケジューリング時間帯のみに属することを特徴とする請求項２に記載の下り共通パイロットの挿入方法。
【請求項４】
前記ステップＡにおいて、前記時間帯は、少なくとも一つの下りタイムスロットと一つの上りタイムスロットとを含み、且つ最後のタイムスロットが上りタイムスロットである優先スケジューリング時間帯であり、且つ、前記伝送しようとするデータの各フレームにおける各下りタイムスロットは、一つの優先スケジューリング時間帯のみに属することを特徴とする請求項２に記載の下り共通パイロットの挿入方法。
【請求項５】
前記ステップＡにおいて、前記時間帯は、少なくとも一つの下りタイムスロットと一つの上りタイムスロットとを含み、且つ含まれる任意の下りタイムスロットが、含まれる任意の上りタイムスロットの前にある最小スケジューリング時間帯であり、且つ、前記伝送しようとするデータの各フレームにおける各下りタイムスロットは、一つの最小スケジューリング時間帯のみに属することを特徴とする請求項２に記載の下り共通パイロットの挿入方法。
【請求項６】
前記時分割複信システムが、低コードチップ速度の時分割−同期符号分割多重接続ＴＤ−ＳＣＤＭＡシステムと同じフレーム構造を使用し、且つ、前記ＴＤ−ＳＣＤＭＡシステムの各サブフレームの常規タイムスロットのうち、ＴＳ０、ＴＳ４、ＴＳ５、ＴＳ６が下りタイムスロットであり、ＴＳ１、ＴＳ２、ＴＳ３が上りタイムスロットである場合、各サブフレームのＴＳ４、ＴＳ５、ＴＳ６とその次のサブフレームのＴＳ０、ＤｗＰＴＳ、ＧＰ、ＵｐＰＴＳ、ＴＳ１、ＴＳ２、ＴＳ３を一つの時間帯に区切り、各前記時間帯のＴＳ０又はＤｗＰＴＳに下り共通パイロットを挿入することを特徴とする請求項２に記載の下り共通パイロットの挿入方法。
【請求項７】
前記時分割複信システムが、低コードチップ速度の時分割−同期符号分割多重接続ＴＤ−ＳＣＤＭＡシステムと同じフレーム構造を使用し、且つ、前記ＴＤ-ＳＣＤＭＡシステムの各サブフレームの常規タイムスロットのうち、ＴＳ０、ＴＳ２、ＴＳ３、ＴＳ５、ＴＳ６が下りタイムスロットであり、ＴＳ１、ＴＳ４が上りタイムスロットである場合、各サブフレームのＴＳ５、ＴＳ６とその次のサブフレームのＴＳ０、ＤｗＰＴＳ、ＧＰ、ＵｐＰＴＳ、ＴＳ１を時間帯ａに区切り、各サブフレームのＴＳ２、ＴＳ３、ＴＳ４を時間帯ｂに区切り、各前記時間帯ａのＴＳ０又はＤｗＰＴＳに下り共通パイロットを挿入し、各前記時間帯ｂのＴＳ３に下り共通パイロットを挿入することを特徴とする請求項２に記載の下り共通パイロットの挿入方法。
【請求項８】
前記時分割複信システムが、低コードチップ速度の時分割-同期符号分割多重接続ＴＤ-ＳＣＤＭＡシステムと同じフレーム構造を使用し、且つ、前記ＴＤ−ＳＣＤＭＡシステムの各サブフレームの常規タイムスロットのうち、ＴＳ０、ＴＳ２、ＴＳ４、ＴＳ６が下りタイムスロットであり、ＴＳ１、ＴＳ３、ＴＳ５が上りタイムスロットである場合、各サブフレームのＴＳ６とその次のサブフレームのＴＳ０、ＤｗＰＴＳ、ＧＰ、ＵｐＰＴＳ、ＴＳ１を時間帯ｃに区切り、各サブフレームのＴＳ２、ＴＳ３を時間帯ｄに区切り、各サブフレームのＴＳ４、ＴＳ５を時間帯ｅに区切り、各前記時間帯ｃのＴＳ０又はＤｗＰＴＳに下り共通パイロットを挿入し、各前記時間帯ｄのＴＳ２に下り共通パイロットを挿入し、各前記時間帯ｅのＴＳ４に下り共通パイロットを挿入することを特徴とする請求項２に記載の下り共通パイロットの挿入方法。
【発明の詳細な説明】
【技術分野】
【０００１】
本発明は、移動通信技術に係り、特に、無線データフレームに下り共通パイロットを挿入する方法に関する。本発明は、直交周波数分割多重接続の時分割複信（ＴＤＤ）システムに適用され、共通パイロットに対するチャネル品質測定を通じて、周波数領域に基くスケジューリングを実現できる。
【背景技術】
【０００２】
現在、３ＧＰＰは、３Ｇ移動通信システムの長期発展過程にあり、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ，直交周波数分割多重）技術をシステムのエアインタフェースとする際の基本的な技術が基本的に確定されている。ＯＦＤＭ技術では、一つの広帯域のシステムを複数の狭いサブ周波数帯域に分ける。例えば、一つのシステムが２０ＭＨzの帯域幅でデータを伝送する場合、ＯＦＤＭは該帯域幅を数個から数十個のサブ周波数帯域に分ける。各サブ周波数帯域の間隔は、数十ＫＨzから数百ＫＨzの間にあり、データが各サブ周波数帯域で伝送される。
【０００３】
ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ，直交周波数分割多重接続）技術は、ＯＦＤＭ技術をＴＤＭＡ（Ｔｉｍｅ  Ｄｉｖｉｓｉｏｎ  Ｍｕｌｔｉｐｌｅ  Ａｃｃｅｓｓ，時分割多重接続）技術とＦＤＭＡ（Ｆｒｅｑｕｅｎｃｙ  Ｄｉｖｉｓｉｏｎ  Ｍｕｌｔｉｐｌｅ  Ａｃｃｅｓｓ，周波数分割多重接続）技術に結び付けたマルチアクセス技術であり、つまり、ユーザは時間と周波数に応じて区切られる。
【０００４】
ＯＦＤＭＡに基く通信システムにおいて、周波数領域に基づくスケジューリングは、通信性能を向上させる効果的な方法である。その主な原理は、システム全体の帯域幅の範囲内において、異なるユーザが自分の所在するチャネル環境に応じて最適なサブ周波数帯域を選択してデータの伝送を行い、マルチユーザダイバーシティを実現することである。このような、周波数領域に基づくスケジューリングを行うために、ユーザは、システム全体の帯域幅をカバーする下り共通パイロットを受信することが必要であり、各サブ周波数帯域のチャネル品質を測定して、測定値を基地局にフィードバックし、基地局は、これらの測定値に基き、周波数領域に基づくスケジューリングを行う。上記から分かるように、周波数領域に基づくスケジューリングを行うには、少なくとも一つの下り方向の伝送と、直後の一つの上り方向の伝送とが必要であり、つまり、一つのスケジューリング周期を必要とする。
【０００５】
ＯＦＤＭＡの時分割複信（ＴＤＤ）システムにおいて、周波数領域に基くスケジューリングを実現するためには、つまり、ユーザが周波数帯域全体の範囲から最適なサブ周波数帯域を選択してデータの伝送を行うことができるようにするためには、下り方向のタイムスロットで共通のパイロットシンボルを送信することが必要となり、このようにしてユーザが最適なサブ周波数帯域の選択を行うことができるようにする。
【０００６】
現在、３Ｇシステムの長期発展システムにおいて、ＯＦＤＭ変調によるＯＦＤＭＡ多重接続方式を採用する周波数分割複信（ＦＤＤ）システムの場合、１０ｍｓのフレーム構造が使用されている。図１に示すように、一つのフレームには、２０個の０．５ｍｓのサブフレーム（又はタイムスロット）が含まれ、各サブフレーム（又はタイムスロット）には、一つの下り共通パイロットが含まれる。これらの下り共通パイロットによって、ユーザは最適なサブ周波数帯域を選択してデータの伝送を行うことができる。
【０００７】
しかしながら、上記各タイムスロットに下り共通パイロットが含まれる方法は、ＴＤＤモードには適合しない。これは、ＴＤＤモードの場合、各タイムスロットは、上り方向に用いてもよいし、下り方向に用いてもよく、下り伝送に用いるときだけ、下り共通パイロットの挿入が必要となり、複数の連続したタイムスロットが全部下り伝送に用いられる場合、そのうちのひとつの下りタイムスロットのみに下り共通パイロットを挿入すればよいからである。必要な上りフィードバックが欠如するため、各下りタイムスロットに全部共通パイロットを挿入すると、過大なシステム消耗が生じる。
【発明の開示】
【発明が解決しようとする課題】
【０００８】
ＯＦＤＭＡに基づくＴＤＤシステムにおいて周波数領域に基くスケジューリングを実現し、ユーザが周波数帯域全体の範囲から最適なサブ周波数帯域を選択してデータの伝送を行うために、下り方向で共通のパイロットシンボルを送信することが要求され、これによってユーザが最適なサブ周波数帯域を選択できるようにする。
【課題を解決するための手段】
【０００９】
上記目的を達成するために、本発明は、直交周波数分割多重接続技術に基づく時分割複信システムに適用される下り共通パイロットの挿入方法を提供し、該方法は、
伝送しようとするデータを、少なくとも一つの下りタイムスロットが存在する複数のタイムスロットを含む複数の連続した時間帯に区切るステップＡと、
前記時間帯内の一つの下りタイムスロットに共通パイロットを挿入するステップＢとを含む。
【００１０】
前記時間帯には、一つ又は複数のフレーム内のタイムスロットが含まれる。
【００１１】
上記ステップＡにおいて、前記時間帯は、少なくとも一つの下りタイムスロットと該下りタイムスロットの後ろの上りタイムスロットとを含むスケジューリング時間帯であり、且つ、前記伝送しようとするデータの各フレームにおける各下りタイムスロットは、一つのスケジューリング時間帯のみに属する。
【００１２】
上記ステップＡにおいて、前記時間帯は、少なくとも一つの下りタイムスロットと一つの上りタイムスロットとを含み、且つ最後のタイムスロットが上りタイムスロットである優先スケジューリング時間帯であり、且つ、前記伝送しようとするデータの各フレームにおける各下りタイムスロットは、一つの優先スケジューリング時間帯のみに属する。
【００１３】
上記ステップＡにおいて、前記時間帯は、少なくとも一つの下りタイムスロットと一つの上りタイムスロットとを含み、且つ含まれる任意の下りタイムスロットが、含まれる任意の上りタイムスロットの前にある最小スケジューリング時間帯であり、且つ、前記伝送しようとするデータの各フレームにおける各下りタイムスロットは、一つの最小スケジューリング時間帯のみに属する。
【００１４】
前記時分割複信システムが、低コードチップ速度の時分割-同期符号分割多重接続ＴＤ−ＳＣＤＭＡシステムと同じフレーム構造を使用し、且つ、前記ＴＤ-ＳＣＤＭＡシステムの各サブフレームの常規タイムスロットのうち、ＴＳ０、ＴＳ４、ＴＳ５、ＴＳ６が下りタイムスロットであり、ＴＳ１、ＴＳ２、ＴＳ３が上りタイムスロットである場合、各サブフレームのＴＳ４、ＴＳ５、ＴＳ６とその次のサブフレームのＴＳ０、ＤｗＰＴＳ、ＧＰ、ＵｐＰＴＳ、ＴＳ１、ＴＳ２、ＴＳ３を一つの時間帯に区切り、各前記時間帯のＴＳ０又はＤｗＰＴＳに下り共通パイロットを挿入する。
【００１５】
前記時分割複信システムが、低コードチップ速度の時分割-同期符号分割多重接続ＴＤ-ＳＣＤＭＡシステムと同じフレーム構造を使用し、且つ、前記ＴＤ-ＳＣＤＭＡシステムの各サブフレームの常規タイムスロットのうち、ＴＳ０、ＴＳ２、ＴＳ３、ＴＳ５、ＴＳ６が下りタイムスロットであり、ＴＳ１、ＴＳ４が上りタイムスロットである場合、各サブフレームのＴＳ５、ＴＳ６とその次のサブフレームのＴＳ０、ＤｗＰＴＳ、ＧＰ、ＵｐＰＴＳ、ＴＳ１を時間帯ａに区切り、各サブフレームのＴＳ２、ＴＳ３、ＴＳ４を時間帯ｂに区切り、各前記時間帯ａのＴＳ０又はＤｗＰＴＳに下り共通パイロットを挿入し、各前記時間帯ｂのＴＳ３に下り共通パイロットを挿入する。
【００１６】
前記時分割複信システムが、低コードチップ速度の時分割-同期符号分割多重接続ＴＤ-ＳＣＤＭＡシステムと同じフレーム構造を使用し、且つ、前記ＴＤ-ＳＣＤＭＡシステムの各サブフレームの常規タイムスロットのうち、ＴＳ０、ＴＳ２、ＴＳ４、ＴＳ６が下りタイムスロットであり、ＴＳ１、ＴＳ３、ＴＳ５が上りタイムスロットである場合、各サブフレームのＴＳ６とその次のサブフレームのＴＳ０、ＤｗＰＴＳ、ＧＰ、ＵｐＰＴＳ、ＴＳ１を時間帯ｃに区切り、各サブフレームのＴＳ２、ＴＳ３を時間帯ｄに区切り、各サブフレームのＴＳ４、ＴＳ５を時間帯ｅに区切り、各前記時間帯ｃのＴＳ０又はＤｗＰＴＳに下り共通パイロットを挿入し、各前記時間帯ｄのＴＳ２に下り共通パイロットを挿入し、各前記時間帯ｅのＴＳ４に下り共通パイロットを挿入する。
【発明の効果】
【００１７】
本発明で提供する方法は、ＯＦＤＭＡに基づくＴＤＤシステムに適用しており、伝送しようとするデータを、少なくとも一つの下りスロットが存在する複数のタイムスロットを含む複数の連続した時間帯に区切って、これらの時間帯内の一つの下りスロットに下り共通パイロットを挿入することによって、非常に少ないシステムリソースを使用する前提で、ユーザが周波数帯域全体の範囲から最適なサブ周波数帯域を選択してデータの伝送を行うことができる。
【発明を実施するための最良の形態】
【００１８】
以下、本発明を明らかにするために、図面を参照して本発明をさらに詳しく説明する。
【００１９】
本発明による下り共通パイロットの挿入方法は、ＯＦＤＭＡ技術に基づくＴＤＤシステムに適用しており、図２に示すように、以下のステップを含む。
【００２０】
ステップＡにおいて、伝送しようとするデータを、各々に少なくとも一つの下りタイムスロットが存在する複数のタイムスロットを含む複数の連続した時間帯に区切る。
【００２１】
ステップＢにおいて、上記時間帯内の一つの下りタイムスロットに共通パイロットを挿入する。
【００２２】
上記時間帯には、一つ又は複数のフレーム内のタイムスロットが含まれる
上記ステップＡにおいて、前記時間帯は、少なくとも一つの下りタイムスロットと該下りタイムスロットの後ろの上りタイムスロットとを含むスケジューリング時間帯であり、且つ、前記伝送しようとするデータの各フレームにおける各下りタイムスロットは、一つのスケジューリング時間帯のみに属する。
【００２３】
図３に示すように、ＴＤＤモードの一つのフレームは、２０個のタイムスロットからなり、そのうち、第１、７、８、１４、１５、１６、１９のタイムスロットは上りタイムスロットであり、第０、２、３、４、５、６、９、１０、１１、１２、１３、１７、１８のタイムスロットは下りタイムスロットである。
【００２４】
伝送しようとするデータを一つ又は複数のスケジューリング時間帯に区切って、上記伝送しようとするデータの各フレームにおける各下りタイムスロットが一つのスケジューリング時間帯のみに属するようにする技術案を以下に示す。
【００２５】
第０、１、２、３、４のタイムスロットをスケジューリング時間帯1に区切り、第５、６、７、８のタイムスロットをスケジューリング時間帯２に区切り、第９、１０、１１、１２、１３、１４のタイムスロットをスケジューリング時間帯３に区切り、第１６、１７、１８、１９のタイムスロットをスケジューリング時間帯４に区切る。ここで、第１５のタイムスロットは、上りタイムスロットであり、いずれのスケジューリング時間帯に属しなくてもよい。また、図３に示すような、スケジューリング時間帯の区切り方法は唯一でないことが理解されよう。
【００２６】
図２において区切られた四つのスケジューリング時間帯において、一つの下りタイムスロットの後ろに該下りタイムスロットと同一のスケジューリング時間帯に属する上りタイムスロットが存在することを条件として、各スケジューリング時間帯から一つの下りタイムスロットを見つける。スケジューリング時間帯１の第０のタイムスロット、スケジューリング時間帯２の第５のタイムスロット、スケジューリング時間帯３の第１１のタイムスロット、スケジューリング時間帯４の第１８のタイムスロットが上記条件に符合するため、該四つのタイムスロットに下り共通パイロットを挿入できる。
【００２７】
上記ステップＡにおいて、上記時間帯は、少なくとも一つの下りタイムスロットと上りタイムスロットとを含み、且つ最後のタイムスロットが上りタイムスロットである優先スケジューリング時間帯であってもよい。また、前記伝送しようとするデータの各フレームにおける各下りタイムスロットは、一つの優先スケジューリング時間帯のみに属する。
【００２８】
図４に示すように、図４のフレーム構造は図３のフレーム構造と同じであるが、図３に示すような、スケジューリング時間帯に基き区切る方法は、優先スケジューリング時間帯の定義に適用しない。その理由は、図２のスケジューリング時間帯１の最後のタイムスロットは下りタイムスロットであるが、優先スケジューリング時間帯の最後のタイムスロットは上りタイムスロットでなければならないからである。
【００２９】
伝送しようとするデータを一つ又は複数の優先スケジューリング時間帯に区切って、上記伝送しようとするデータの各フレームにおける各下りタイムスロットが一つの優先スケジューリング時間帯のみに属するようにする技術案を以下に示す。第０、１、２、３、４、５、６、７、８のタイムスロットを優先スケジューリング時間帯１に区切り、第９、１０、１１、１２、１３、１４のタイムスロットを優先スケジューリング時間帯２に区切り、第１６、１７、１８、１９のタイムスロットを優先スケジューリング時間帯３に区切る。ここで、第１５のタイムスロットは上りタイムスロットであり、いずれの優先スケジューリング時間帯に属しなくてもよい。また、図４に示すような、優先スケジューリング時間帯の区切り方法は唯一でないことが理解されよう。
【００３０】
優先スケジューリング時間帯内の最後のタイムスロットが上りタイムスロットであるため、優先スケジューリング時間帯内のいずれの下りタイムスロットは、該下りタイムスロットの後ろに該下りタイムスロットと同一の時間帯に属する上りタイムスロットが存在するという条件を満足する。
【００３１】
図４において区切られた三つの優先スケジューリング時間帯において、一つの下りタイムスロットの後ろに下りタイムスロットと同一の時間帯に属する上りタイムスロットが存在し、且つ、下りタイムスロットと、該下りタイムスロットの後ろの上記上りタイムスロットとの間の時間間隔が最小であることを条件として、各優先スケジューリング時間帯において一つの下りタイムスロットを見つける。優先スケジューリング時間帯１の第６のタイムスロット、優先スケジューリング時間帯２の第１３のタイムスロット、優先スケジューリング時間帯３の第１８のタイムスロットが該条件に符合するため、上記三つのタイムスロットに下り共通パイロットを挿入できる。
【００３２】
上記ステップＡにおいて、上記時間帯は、少なくとも一つの下りタイムスロットと一つの上りタイムスロットとを含み、且つ含まれた任意の下りタイムスロットが、含まれた任意の上りタイムスロットの前にある最小スケジューリング時間帯であってもよい。また、前記伝送しようとするデータの各フレームにおける各下りタイムスロットは、一つの最小スケジューリング時間帯のみに属する。
【００３３】
図５に示すように、図５のフレーム構造は図３のフレーム構造と同じである。伝送しようとするデータを一つ又は複数の最小スケジューリング時間帯に区切って、各伝送しようとするデータの各フレームにおける各下りタイムスロットが一つの最小スケジューリング時間帯のみに属するようにする技術案を以下に示す。第０、１のタイムスロットを最小スケジューリング時間帯１に区切り、第２、３、４、５、６、７、８のタイムスロットを最小スケジューリング時間帯２に区切り、第９、１０、１１、１２、１３、１４、１５、１６のタイムスロットを最小スケジューリング時間帯３に区切り、第１７、１８、１９のタイムスロットを最小スケジューリング時間帯４に区切る。ここで、図５に示すような、最小スケジューリング時間帯の区切り方法は唯一でないことが理解されよう。
【００３４】
図５において区切られた四つの最小スケジューリング時間帯において、一つの下りタイムスロットの後ろに該下りタイムスロットと同一の時間帯に属する上りタイムスロットが存在し、且つ、下りタイムスロットと、該下りタイムスロットの後ろの前記上りタイムスロットとの間の時間間隔が最小であることを条件として、各最小スケジューリング時間帯において一つの下りタイムスロットを見つける。最小スケジューリング時間帯１の第０のタイムスロット、最小スケジューリング時間帯２の第６のタイムスロット、最小スケジューリング時間帯３の第１３のタイムスロット、最小スケジューリング時間帯４の第１８のタイムスロットが上記条件に符合するため、該四つのタイムスロットに下り共通パイロットを挿入できる。
【００３５】
３Ｇシステムの後続発展システムにおいて、時分割-同期符号分割多重接続（ＴＤ−ＳＣＤＭＡ）モードのフレーム構造は、ＯＦＤＭＡ技術に結び付けることができる。つまり、ＯＦＤＭＡのＴＤＤシステムにおいて、ＴＤ−ＳＣＤＭＡシステムと同じフレーム構造を用いることができる。
【００３６】
図６は、低コードチップ速度のＴＤ−ＳＣＤＭＡシステムのフレーム構造図を示す。図６に示すように、低コードチップ速度のＴＤ−ＳＣＤＭＡシステムのフレーム長は１０ｍｓであり、各フレームは二つの５ｍｓの無線サブフレームに分けられている。
【００３７】
図７は、低コードチップ速度のＴＤ−ＳＣＤＭＡシステムの無線サブフレーム構造図を示す。各無線サブフレームは、七つの常規タイムスロット（ＴＳ０〜ＴＳ６）と三つの特殊タイムスロットからなる。上記三つの特殊タイムスロットは、ＤｗＰＴＳ（下りパイロットチャネル、システムの下り同期情報の送信に用いられる）、ＵｐＰＴＳ（上りパイロットチャネル、ユーザがアクセスする上り同期情報の送信に用いられる）、及びＧＰ（スイッチングガードタイムスロット、下り送信タイムスロットから上り送信タイムスロットへのスイッチングの時間間隔を提供する）である。
【００３８】
ＴＤ−ＳＣＤＭＡシステムと同じフレーム構造を採用する、ＯＦＤＭＡに基づくＴＤＤシステムの無線サブフレームに二つの上り・下りタイムスロットスイッチングポイントを有する場合、下り共通パイロットを挿入する実施例は図８に示すようである。
【００３９】
本実施例において、各サブフレームのＴＳ０、ＴＳ４、ＴＳ５、ＴＳ６は下りタイムスロットであり、各サブフレームのＴＳ１、ＴＳ２、ＴＳ３は上りタイムスロットである。各サブフレームのＴＳ４、ＴＳ５、ＴＳ６とその次のサブフレームのＴＳ０、ＤｗＰＴＳ、ＧＰ、ＵｐＰＴＳ、ＴＳ１、ＴＳ２、ＴＳ３を一つのスケジューリング時間帯に区切り、各スケジューリング時間帯のＴＳ０又はＤｗＰＴＳに下り共通パイロットを挿入する。ここで、ＤｗＰＴＳが下りタイムスロットであるため、ＤｗＰＴＳに下り共通パイロットを挿入でき、特に、スケジューリング時間帯内の下りタイムスロットが「下りタイムスロットの後ろに該下りタイムスロットと同一の時間帯に属する上りタイムスロットが存在し、且つ、下りタイムスロットと、該下りタイムスロットの後ろの前記上りタイムスロットとの間の時間間隔が最小」という条件を満足することを要求する場合、ＤｗＰＴＳに下り共通パイロットを挿入しなければならない。
【００４０】
ＴＤ−ＳＣＤＭＡシステムと同じフレーム構造を採用する、ＯＦＤＭＡに基づくＴＤＤシステムの無線サブフレームに四つの上り・下りタイムスロットスイッチングポイントを有する場合、下り共通パイロットを挿入する実施例は図９に示すようである。
【００４１】
本実施例において、各サブフレームのＴＳ０、ＴＳ２、ＴＳ３、ＴＳ５、ＴＳ６は下りタイムスロットであり、各サブフレームのＴＳ１、ＴＳ４は上りタイムスロットである。各サブフレームのＴＳ５、ＴＳ６とその次のサブフレームのＴＳ０、ＤｗＰＴＳ、ＧＰ、ＵｐＰＴＳ、ＴＳ１をスケジューリング時間帯ａに区切り、各サブフレームのＴＳ２、ＴＳ３、ＴＳ４をスケジューリング時間帯ｂに区切る。このとき、各スケジューリング時間帯ａのＴＳ０又はＤｗＰＴＳに下り共通パイロットを挿入し、各スケジューリング時間帯ｂのＴＳ３に下り共通パイロットを挿入する。
【００４２】
ＴＤ−ＳＣＤＭＡシステムと同じフレーム構造を採用する、ＯＦＤＭＡに基づくＴＤＤシステムの無線サブフレームに六つの上り・下りタイムスロットスイッチングポイントを有する場合、下り共通パイロットを挿入する実施例は図１０に示すようである。
【００４３】
本実施例において、各サブフレームのＴＳ０、ＴＳ２、ＴＳ４、ＴＳ６は下りタイムスロットであり、各サブフレームのＴＳ１、ＴＳ３、ＴＳ５は上りタイムスロットである。各サブフレームのＴＳ６とその次のサブフレームのＴＳ０、ＤｗＰＴＳ、ＧＰ、ＵｐＰＴＳ、ＴＳ１をスケジューリング時間帯ｃに区切り、各サブフレームのＴＳ２、ＴＳ３をスケジューリング時間帯dに区切り、各サブフレームのＴＳ４、ＴＳ５をスケジューリング時間帯ｅに区切る。このとき、各スケジューリング時間帯ｃのＴＳ０又はＤｗＰＴＳに下り共通パイロットを挿入し、各スケジューリング時間帯ｄのＴＳ２に下り共通パイロットを挿入し、各スケジューリング時間帯ｅのＴＳ４に下り共通パイロットを挿入する。
【００４４】
以上は、本発明のより望ましい実施例に過ぎず、本発明を限定するものではない。本発明の主旨を逸脱しない前提で行ったあらゆる補正、同等の差し替え及び改進は、本発明の保護範囲にあることが理解されよう。
【図面の簡単な説明】
【００４５】
【図１】３Ｇシステムの後続発展システムにおけるＦＤＤモードのフレーム構造を示す図である。
【図２】本発明による下り共通パイロットの挿入方法を示すフローチャートである。
【図３】スケジューリング時間帯に基き区切って下り共通パイロットを挿入する実施形態を示す図である。
【図４】優先スケジューリング時間帯に基き区切って下り共通パイロットを挿入する実施形態を示す図である。
【図５】図５は、最小スケジューリング時間帯に基き区切って下り共通パイロットを挿入する実施形態を示す図である。
【図６】図６は、低コードチップ速度のＴＤ−ＳＣＤＭＡシステムのフレーム構造を示す図である。
【図７】図７は、低コードチップ速度のＴＤ−ＳＣＤＭＡシステムの無線サブフレーム構造を示す図である。
【図８】図８は、ＴＤ−ＳＣＤＭＡシステムと同じフレーム構造を採用する、ＯＦＤＭＡのＴＤＤシステムの無線サブフレームに二つの上り・下りタイムスロットスイッチングポイントを有する場合における下り共通パイロットの挿入を示す図である。
【図９】図９は、ＴＤ−ＳＣＤＭＡシステムと同じフレーム構造を採用する、ＯＦＤＭＡのＴＤＤシステムの無線サブフレームに四つの上り・下りタイムスロットスイッチングポイントを有する場合における下り共通パイロットの挿入を示す図である。
【図１０】図１０は、ＴＤ−ＳＣＤＭＡシステムと同じフレーム構造を採用する、ＯＦＤＭＡのＴＤＤシステムの無線サブフレームに六つの上り・下りタイムスロットスイッチングポイントを有する場合における下り共通パイロットの挿入を示す図である。
【図１】
2009512243.tif 000003
【図２】
2009512243.tif 000004
【図３】
2009512243.tif 000005
【図４】
2009512243.tif 000006
【図５】
2009512243.tif 000007
【図６】
2009512243.tif 000008
【図７】
2009512243.tif 000009
【図８】
2009512243.tif 000010
【図９】
2009512243.tif 000011
【図１０】
2009512243.tif 000012
【国際調査報告】
2009512243.tif 000013
2009512243.tif 000014
2009512243.tif 000015
2009512243.tif 000016